(57)【要約】      （修正有）【課題】必要に応じて積載方式を速やかに変換できる自転車用荷台装置の提供。【解決手段】受け座２、前固定装置３、及び後ろ固定装置４を具え、該受け座の一側にクイック取り外し装置６が設けられ、係止手段と相互に係止或いは分離でき、これにより使用者が必要に応じて速やかにその積載方式を速やかに変換できる。【選択図】図２
0003105466.tif 000002
【実用新案登録請求の範囲】
【請求項１】
自転車用荷台装置において、該自転車用荷台装置は受け座、前固定装置、後ろ固定装置で構成され、該受け座の一側にクイック取り外し装置が設けられ、係止手段との係止或いは分離の動作に供され、
該受け座は、物品を置ける平面を具え、その本体に挿入孔が設けられ、クイック取り外し装置が取付られ、
該前固定装置は、一端が該受け座の前端に接続され、別端が自転車のシートステム或いは後ろフォークに接続され、
該後ろ固定装置は、一端が該受け座の後端に接続され、別端が自転車の後ろフォークに接続され、
該係止手段は積載物と結合されて積載物を荷台装置の上に固定するのに供されることを特徴とする、自転車用荷台装置。
【請求項２】
請求項１記載の自転車用荷台装置において、受け座の前部に二つの係合孔が設けられたことを特徴とする、自転車用荷台装置。
【請求項３】
請求項１記載の自転車用荷台装置において、クイック取り外し装置は押し板、バネ及び座体を具え、該押し板の一側に係止舌が凸設され、別側に二つのバネ収容室が設けられてそれぞれバネが収容され、且つ該押し板が該座体に収容されたことを特徴とする、自転車用荷台装置。
【請求項４】
請求項１記載の自転車用荷台装置において、係止手段の板体の前側に二つのフックが設けられ、後側に一つのフックが設けられたことを特徴とする、自転車用荷台装置。
【考案の詳細な説明】
【技術分野】
【０００１】
本考案は一種の自転車用荷台装置に係り、特に積載組合せ方式を容易に変換でき、使用者の必要に応じて速やかににその荷台装置の積載方式を変換できる装置に関する。
【背景技術】
【０００２】
図１は周知の自転車１の荷台装置１１であり、それは自転車のサドル１２の後方に設置された簡単なフレーム１１０を具え、物品や人を積載するのに使用される。しかしこのような周知のフレーム１１は使用上、以下のような欠点と不便があった。
１．荷台装置１１に籠や子供用椅子或いはその他の物品を積載する時、荷台装置１１自体に固定物品が配備されていないため、ロープや他の固定装置により固定しなければ籠、子供用椅子或いはその他の物品などの被積載物を固定できず、このため使用上、不便である。
２．サスペンション式の自転車のフレームにはサスペンションが設けられているため、自転車のシートポスト或いは後ろフォークに荷台装置を取付られる構造がなく、荷台装置はこのようなフレームには取り付けることができない。
【考案の開示】
【考案が解決しようとする課題】
【０００３】
以上の使用者が自転車上に物品を放置する上での問題を鑑み、本考案は一種の自転車用荷台装置を提供するものである。即ち、本考案の主要な目的は、積載組合せ方式を簡単に変換できる自転車用荷台装置を提供することにあり、それは、受け座、前固定装置、及び後ろ固定装置で構成され、該受け座の一側にクイック取り外し装置が設けられ、係止手段と相互に係止或いは分離でき、これにより使用者が必要に応じて速やかに荷台装置の積載方式を変換するとができるものとされる。
【０００４】
本考案の別の目的は、各種フレームに取り付けられる自転車用荷台装置、特にフレーム本体にサスペンションを具えたフレーム本体に適用される自転車用荷台装置を提供することにあり、それは、前固定装置に後ろ固定方式を組み合わせてフレームの異なる位置に取り付けられ、これにより各種のフレームに取付可能であるものとされる。
【０００５】
上述の目的を達成するため、本考案は一種の自転車用荷台装置を提供し、それは、自転車の後方に設けられた受け座に前固定装置と後ろ固定装置が組み合わされてなる荷台装置であり、使用者が物品を置くのに供される。
【０００６】
本考案の自転車用荷台装置は、該受け座の一側にクイック取り外し装置が設けられ、係止手段と相互に係合、分離を行なうことができる。
【０００７】
本考案の自転車用荷台装置は、該前固定装置が支持片、枢軸及び第１管挟持装置を具えている。
【０００８】
本考案の自転車用荷台装置は、該後ろ固定装置が支持管、二組の第２管挟持装置を具え、第２管挟持装置が第１挟持片と第２挟持片を具えている。
【０００９】
本考案の自転車用荷台装置は、該クイック取り外し装置が押し板、二つのバネ、及び座体を具えている。
【課題を解決するための手段】
【００１０】
請求項１の考案は、自転車用荷台装置において、該自転車用荷台装置は受け座、前固定装置、後ろ固定装置で構成され、該受け座の一側にクイック取り外し装置が設けられ、係止手段との係止或いは分離の動作に供され、
該受け座は、物品を置ける平面を具え、その本体に挿入孔が設けられ、クイック取り外し装置が取付られ、
該前固定装置は、一端が該受け座の前端に接続され、別端が自転車のシートステム或いは後ろフォークに接続され、
該後ろ固定装置は、一端が該受け座の後端に接続され、別端が自転車の後ろフォークに接続され、
該係止手段は積載物と結合されて積載物を荷台装置の上に固定するのに供されることを特徴とする、自転車用荷台装置としている。
請求項２の考案は、請求項１記載の自転車用荷台装置において、受け座の前部に二つの係合孔が設けられたことを特徴とする、自転車用荷台装置としている。
請求項３の考案は、請求項１記載の自転車用荷台装置において、クイック取り外し装置は押し板、バネ及び座体を具え、該押し板の一側に係止舌が凸設され、別側に二つのバネ収容室が設けられてそれぞれバネが収容され、且つ該押し板が該座体に収容されたことを特徴とする、自転車用荷台装置としている。
請求項４の考案は、請求項１記載の自転車用荷台装置において、係止手段の板体の前側に二つのフックが設けられ、後側に一つのフックが設けられたことを特徴とする、自転車用荷台装置としている。
【考案の効果】
【００１１】
本考案は使用者が個人の使用要求により積載組合せを変換でき、更にフレームの違いに応じるため二種類の取付固定方式を提供している。これにより、本考案は広い適用性を具え、且つ業界には未だ無い新規な考案であり、高い実用性を具えている。
【考案を実施するための最良の形態】
【００１２】
図２、３、４、５、８に示されるように、本考案の自転車用荷台装置Ａは、自転車７の後方にあって、受け座２に前固定装置３と後ろ固定装置４が組み合わされたものが固定されてなる荷台装置Ａであり、並びに係止手段５が分離可能に組み合わされて、使用者が必要に応じて荷台装置Ａの積載組合せ方式を変換できる。
【００１３】
該受け座２は、物品の載置に供される平面を具え、その本体２０に複数の固定孔２１が設けられ、前カバー板２５、後ろカバー板２６がその固定柱２５１、２６１で係止固定され、また該本体２０の前部に二つの係合孔２２が設けられ、且つ該本体２０の後部に挿入孔２３が設けられてクイック取り外し装置６の取付に供され、該挿入孔２３の一側に二つの相互に対応する固定リブ２４が設けられている。該クイック取り外し装置６は、押し板６１、二つのバネ６２及び座体６３で構成され、且つ該押し板６１の一側に係止舌６１１が凸設され、別側に二つのバネ収容室６１２が設けられている。該バネ６２は該押し板６１のバネ収容室６１２内に収容される。該座体６３は該押し板６１を収容し、且つ該座体６３は凹溝状を呈し且つ中央に溝口６３１を具え、押し板６１を突出させ、一側に舌口６３２を具えて押し板６１の係止舌６１１を突出させ、また、該座体６３にバネ６２及び押し板６１が収容された後、固定リブ２４が組み合わされて受け座２に固定される。
【００１４】
該前固定装置３は、その一端が受け座２の前端に接続され、別端が自転車のシートステム７１に接続され、それは支持片３１、枢軸３２及び第１管挟持装置３３で構成され、該支持片３１に二つの固定溝３１１が設けられ、ボルトＣ２が挿通されてナットＣ１で締められて該受け座２に固定され、且つ固定溝３１１はスロット状とされ、固定位置の調整が行なえ、また、支持片３１の一端の両側より枢設孔３１２１を具えた支持アーム３１２が設けられている。該枢軸３２は、貫通する軸孔３２１を具えている。該第１管挟持装置３３は、第１Ｃ形片３３１が第２Ｃ形片３３２と突き合わされて結合されてなり、該第１Ｃ形片３３１の両端に固定孔３３１１が設けられ、並びに第２Ｃ形片３３２の両端に設けられた固定孔３３２１と対応させられ、ボルトＣ３、ナットＣ４による固定に供され、且つ第２Ｃ形片３３２の両側より対応する複数の固定孔３３２３を具えた支持アーム３３２２が延伸され、該支持アーム３３２２が枢軸３２と支持片３１に結合される。
【００１５】
該後ろ固定装置４は、その一端が受け座２の後端に接続され、別端は自転車の後ろフォーク７２の後側に接続され、それは支持管４１と二組の第２管挟持装置４２で構成され、該支持管４１に複数の固定孔４１１が設けられている。該第２管挟持装置４２は第１挟持片４２１と第２挟持片４２２で構成され、そのうち第１挟持片４２１の一端に固定孔４２１１が設けられ、別端に係止体４２１２が設けられ、該第２挟持片４２２は一端に十字孔４２２１が設けられ、別端に複数の固定孔４２２２が設けられている。
【００１６】
係止手段５は、積載物Ｂと結合され、並びに積載物Ｂを該荷台装置Ａの上に固定し、それは板体５０を具え、該板体５０の前側に二つのフック５２が設けられ、該フック５２が受け座２の係合孔２２と対応して係合され、該板体５０の後側にフック５１が設けられて受け座２の挿入孔２３に対応し係合され、また該係止手段５は直接積載物Ｂの底部に形成されている。
【００１７】
以上の部品の構成により、使用者は前固定装置３と後ろ固定装置４の第１、２管挟持装置３３、４２を、それぞれ自転車７のシートステム７１及び後ろフォーク７２に固定し、第１管挟持装置３３に枢軸３２、支持片３１を組み合わせて受け座２を接続し、並びに枢軸３２で受け座２の上下角度を調整し、このほか、後ろ固定装置４の二組の第２管挟持装置４２に支持管４１を組み合わせて受け座２を接続し、並びに第２管挟持装置４２と支持管４１により受け座２の高さ位置を調整し、これにより荷台装置Ａの架設を完成でき（図３）、この組合せ方式は一般型の自転車への取付に適合する。
【００１８】
さらに、使用者が自転車の積載物品を安定して固定するのに便利なように（図５から図９参照）、使用者は積載物Ｂ（例えば籠、物置き袋、子供用椅子）底部に係止手段５を接続し、並びに該係止手段５のフック５２を受け座２の係合孔２２に係合させ、並びに係合手段５後側のフック５１を受け座２の挿入孔２３に係合し、並びにクイック取り外し装置６の押し板６１の係止舌６１１で係止することで、物品の放置と固定が行なえるものとされている。もし使用者が積載物Ｂを取り外したい時は、使用者が押し板６１を押してバネ６２を圧縮し、並びに押し板６１の係止舌６１１を後退させて係止板５のフック５１との係合を解除させれば、使用者は積載物Ｂを荷台装置より取り外すことができる（図７、８参照）。
【００１９】
このほか、図１０から図１２に示されるのは本考案の第２実施例であり、サスペンション式の自転車ではそのシートステムに前固定装置３の第１管挟持装置３３を固定できない問題があるため、第１管挟持装置３３を第３管挟持装置３４に交換する。第３管挟持装置３４は第１片体３４１と第２片体３４２で構成され、第１片体３４１に複数の固定孔３４１１が設けられている。第２片体３４２にも対応する複数の固定孔３４２１が設けられ、且つ固定孔３４２３を具えた二つの対応する支持アーム３４２２が延伸され、枢軸３２と支持片３１が接続される。その他の動作方式は上述の実施例とほぼ同じであるが、異なるところは、ボルトＣ５、ナットＣ６を利用して第１片体３４１と第２片体３４２が後ろフォーク７２の前側に固定され、後ろ固定装置４が後ろフォーク７２の後端に固定され、これにより荷台装置Ａの取付が完成することである（図１１参照）。
【図面の簡単な説明】
【００２０】
【図１】周知の荷台装置の表示図である。
【図２】本考案の立体分解図である。
【図３】本考案の立体実施例表示図である。
【図４】本考案の結合手段の立体外観図である。
【図５】本考案の組合せ断面図である。
【図６】本考案の局部断面図である。
【図７】本考案の係止手段と受け座の動作表示図（一）である。
【図８】本考案の係止手段と受け座の動作表示図（二）である。
【図９】本考案の子供用椅子を積載した状態表示図である。
【図１０】本考案の別の実施例の立体分解図である。
【図１１】本考案の別の実施例の立体実施例表示図である。
【図１２】本考案の別の実施例の組合せ断面図である。
【符号の説明】
【００２１】
１  自転車                        １１  荷台装置
１１０  フレーム                  １２  サドル
２  受け座                        ２０  本体
２１  固定孔                      ２２  係合孔
２３  挿入孔                      ２４  固定リブ
２５  前カバー板                  ２５１  固定柱
２６  後ろカバー板                ２６１  固定柱
３  前固定装置                    ３１  支持片
３１１  固定溝                    ３１２  支持アーム
３１２１  枢設孔                  ３２  枢軸
３２１  軸孔                      ３３  第１管挟持装置
３３１  第１Ｃ形片                ３３１１  固定孔
３３２  第２Ｃ形片                ３３２１  固定孔
３３２２  支持アーム              ３３２３  固定孔
３４  第３管挟持装置              ３４１  第１片体
３４１１  固定孔                  ３４２  第２片体
３４２１  固定孔                  ３４２２  支持アーム
３４２３  固定孔
４  後ろ固定装置                  ４１  支持管
４１１  固定孔                    ４２  第２管挟持装置
４２１  第１挟持片                ４２１１  固定孔
４２１２  係止体                  ４２２  第２挟持片
４２２１  十字孔                  ４２２２  固定孔
５  係止手段                      ５０  板体
５１  フック                      ５２  フック
６  クイック取り外し装置          ６１  押し板
６１１  係止舌                    ６１２  バネ収容室
６２  バネ                        ６３  座体
６３１  溝口                      ６３２  舌口
７  自転車                        ７１  シートステム
７２  後ろフォーク
Ａ  荷台装置                      Ｂ  積載物
Ｃ１、Ｃ４、Ｃ６  ナット
Ｃ２、Ｃ３、Ｃ５  ボルト
【図１】
0003105466.tif 000003
【図２】
0003105466.tif 000004
【図３】
0003105466.tif 000005
【図４】
0003105466.tif 000006
【図５】
0003105466.tif 000007
【図６】
0003105466.tif 000008
【図７】
0003105466.tif 000009
【図８】
0003105466.tif 000010
【図９】
0003105466.tif 000011
【図１０】
0003105466.tif 000012
【図１１】
0003105466.tif 000013
【図１２】
0003105466.tif 000014